(57)【要約】      （修正有）【課題】墓所のもつ本来の姿、故人を偲び、故人への敬愛や遺族同士の絆を高めることのできる墓所の石造物を提供する。【解決手段】墓所の石碑・葬具の中心部に空洞部を設け、ＱＲコード（登録商標）２を記した部材を固定する。前記部材には自然環境においてＱＲコード２の機能を侵されない材料を使い、墓に関わりのない不特定多数の者に干渉されないように、開閉可能な扉１を設け、鍵３で施錠する。遺族・親族が墓参し、石碑・装具の扉１の鍵３を解き扉１を開き、遺族の持つモバイル・クライアント４をＱＲコード２にかざし、登録された在りし日の故人の姿を画像や音声で描く事で、感謝と絆を確認しあい、墓参を履歴として記録し残し伝える。【選択図】図３
2009215861.tif 000002
【特許請求の範囲】
【請求項１】
墓所における石造物の一部に不特定多数の者に目にが触れないような位置にＱＲコードを設置した事を特徴とする石造物。
【請求項２】
墓所の石造物に設置したＱＲコードを携帯電話で読み取り、今は亡き方の情報を再現する事や墓参の履歴を残す事を特徴とした石造物。
【請求項３】
石造物の一部を刳り貫き空洞部を設け、この部位に開閉自由な扉を設置する事を特徴とする石造物。
【請求項４】
石造物の空洞部が見えないように扉の設置をし、この空洞部を不特定多数の者が開閉しないように、この扉に施錠出来るようにした事を特徴とする石造物。
【請求項５】
設置のＱＲコードは今わ亡き方の遺影・言葉・動画などを、このＱＲに登録する事で遺族が墓参した時に墓前で故人に再開して頂く事を特徴とし、更に、一族が墓参した事を、このＱＲコードに残す事で墓参の履歴を親族が見る事も出来次期墓参予定まで伝える事で親族同士の絆を高める事も特徴としたや石造物。
【発明の詳細な説明】
【技術分野】
【０００１】本発明は、登録情報をＱＲコードで伝え、墓参の履歴をも伝える事の出来る石造物である。
【背景技術】
【０００２】ＱＲコードは製品の管理・取扱説明書・多目的な情報伝達に使われてきている。一般的には生活の利便性の追求が主に開発が進められている。従って、墓所における分野にはまだ使用されていない。
但し、石製品の製造工場に於ける生産、或いは在庫管理など、生産・商品管理の一貫としての使用はあるが、墓所の石造物に設置し故人への敬愛や遺族同士の絆を高める物ではなかった。
【発明が解決しようとする課題】
【０００３】従来からの墓所に於ける石造物は、埋葬場所を示す事を重視したものが一般的で、その建墓方法は多くの石材を使用するため、自然環境を破壊しながら採石して外見を飾り、更に、採掘の現場では危険を顧みない作業で多くの命を失いました。そして、国内における乱開発の付けは未だに解消されず、開発によって生じた危険な山の稜線を自然な姿にして緑を取り戻す為の努力をしているのが現状です。
この様に反省すべき課題が多いにも拘らず、世界の原野から素材を調査し、世界中の山林を切り開き自然を破壊し、地球的規模のリスクを背負いながら、国内において新石種を揃え、墓の持つ重要さが何たるかも判らない消費者に墓の外観を強調して荘厳な建墓を勧める傾向にある為、故人への感謝の表現より、傍目を気遣わすように遺族を誘導し、他人より秀でる事で遺族は自己満足や優越感をそそらせる傾向を業界は作り出している。
従って、世間並みの墓が外見を基準にする傾向になり、これを元に業界は、遺族を煽り立て営業力を競い、如何に高価に販売するかが墓石産業のように捉えてきました。
それが、過去の所得倍増時期やバブル時期のような消費型の経済構造であった。
しかし、２１世紀になり反省しなければならない事、正さなければならない事が山積している。その中でも命の尊厳は欠く事の出来ない重要な課題である。これを問う為にもお墓のあり方・生命の尊さの継承・自然界への気遣いが求められている。
この様な反省すべき時代背景を振り返り、墓のもつ本来の姿、故人を偲び、故人を敬愛し、故人から命を与えられた事に感謝する為の対象としなければならないのがお墓です。しかるに、墓への認識は、家族の中に死人が出れば火葬をして納骨する、そして、故人は忘れ去られるもの、死んでしまえば何も分からん、と考え故人が日常生活から遠ざかって行く事が多い。それでも、建墓した年には年３回程度、彼岸・お盆・命日等に花を手向ける事が遺族の勤めとしますが、年を重ね徐々に故人とのつながりが疎遠になっていき今生きている命の源が故人にあった事や、命の連鎖がある事を忘れてしまい、先祖を軽視している。
これらの問題点。墓に課せられた問題を解決する為に墓のあり方を問い直すことが求められている。
又、豊富な材料を使用する事で今、世界的にも一番大きな問題となっている、自然破壊を引き起こす業界から脱却する事業展開を推し進め、大量の石材を使う事を自粛する事が望ましい。今、求められているものは、いたずらに石材を使うのではなく遺族の満足できる真の供養を提供する事を目指す必要がある。
【課題を解決する為の手段】
【０００４】これ等の課題を解決するには、親しまれる墓作りが元となると考える。
その為に、ＱＲコードを墓所の石造物に設置する事で故人の在りし日の姿を再現し、親しみの持てる墓作りを図り、故人と遺族を繋ぎ親族・人類・命を持つものに対する慈愛を創造する事が大切と考える。
その理想を追求する為に墓の形態は、質素を基本とし、遺族の心を癒し、命の尊厳を再認識させる為にＱＲコードを設置した建墓を行い、今まで以上に親近感を沸立たせる建墓を心掛ける。外見を飾る建墓を抑えさせ、遺族の経済的負担を和らげ、無理のない墓作りを提案する。多くの遺族が故人を偲び、故人を敬愛し、故人と遺族の心の橋渡しを図る事を求める。大量生産大量消費を奨励してきた供養産業の姿勢を改め、遺族の立場に立った提案をする事が、他の業界にはない責任と考える。
又、これらの企画の展開により自然界の破壊を抑止する事にも繋がる。かつての採掘では、採石を先行させ過剰とも思われる採掘量を計画し、その採石材は一部しか市場に流れないのが現状でした。その結果不要な開発が行われてきた。労働力の低下や危険作業から離職者が増えることで国内における採掘が減少した。そんな国内状況を背景に輸入に頼り始めた現在は過去の国内における開発以上に異国の原野を破壊し続けている。まして輸入に携わるものは、石材の知識も石材に対する愛着もないものが携わる為、国内における港湾には不要な石材が持ち込まれ山のように積み上げ、処理に苦慮する所もある。そんな事も危惧されるが、その問題も抑止できると考えられる。
しかし、一方では世界的な交易が鈍化する事により国際的貢献度や流通過程における輸送業務の激減も懸念される事もあろうかと思うが、地球の温暖化を考えると極力無駄なものを移動せず、その移動の為の資力を抑える事が世界的に今求められている。
我々の業界は、特に地産地消が好ましく思われる。故人が慣れ親しんだ地に還るのだから、その骸を優しく包み込むものも、その地にあるもので建墓する事が望ましい。
そんな取り組みは、一部の者の嗜好的感覚で行われるのではなく遺族・業界人が真剣に行動しなければならないそれだけに周知させる為にもＱＲコードを設置し、墓の重要性を問い掛ける墓と遺族との繋がりを今まで以上に深め本当に必要なものを思考させる事が大切と考えさせる為に、遺族が墓参した事や、次は何時墓参するか等を墓参履歴としてＱＲに残して親族に伝える事で墓を中心とした親族関係を作り出し、先祖から与えられた命、命の根源を再認識し、命を尊重する時代を作る。
【発明の効果】
【０００５】このＱＲコードを墓所の石造物に設置する事で親しみの持てる墓作りを図り、故人と遺族を繋ぎ親族・人類・命を持つものに対する慈愛を創造する事が得られる。
又、これらの企画の展開は、大量生産大量消費を奨励してきた供養産業の姿勢を改め、業界への信頼性を取り戻し、遺族の立場に立った提案をする事で、他の業界にはない最大の責任を果たし、自然界の破壊を抑止する事にも繋がり、かつての乱開発を抑え、輸入に頼った石材調達をも減量化し世界的に行われていた自然破壊活動や輸送システムによる地球温暖化を押さえ、地産地消を盛んにさせ、ＱＲコードを設置したことで親族が親しみの持てる墓となり、命の根源を取り戻す墓となり、命の尊厳を重視させる時代作りに効果を示す。
【発明を実施するための最良の形態】
【０００６】ＩＴ時代において情報の伝達方法としてＱＲコードやＩＤ・バーコードなど商品管理を初め生産管理に至り新情報の交換なども含めて市場には氾濫している為、それほど考案としての特徴が想像できないのが現状と思います。しかし、この考案のＱＲコードは故人を偲び感謝の意を持って行く墓所・私達の大切な故人を納める墓所、それも骸を納める石碑の中、他人の目に触れる事のない場所に設置し、遺族が墓参して心静かに故人を慕い合掌して故人の在りし日の事を思い出す時。ＱＲからモバイル・クライアントによって遺族に関わる数々の思い出を画像や音声で描く事で、失われた命を惜しみ遺族に今ある命の尊さを実感できる墓所とする。私達は、故人の遺品を家に残し、或いは身につけることもあるが。目の回るように移り変わる時代だけに懐かしい写真ですら一年間に見る機会は少ないのが現実です。
だからこそ故人を偲ぶ墓参のときだけに来世に旅たった故人の住まいの前で在りし日の姿を見る事で先祖への親しみは倍増し遺族が家族の絆を高める場となります。
【実施例】
【０００７】墓所の石碑・葬具の中心部に空洞部を設け、ここに開閉可能な１の扉を設け、不特定多数、この墓に関わりのない者に干渉されないように３の鍵で施錠可能な１の扉を設置し、２のＱＲコードを記した部材をこの扉内に固定する。
又、この部材は自然環境においても２のＱＲコードの機能を侵されない部材を使い、空洞部の扉の中に設置した。
遺族・親族が墓参し石碑・装具の１の扉の３の鍵を解き、１の扉を開き遺族の持つ４のモバイル・クライアントを２のＱＲコードにかざして登録された、今は亡き故人の在りし日の姿を鑑賞して遺族を育んでくれた事への感謝を親族共通な思いとして絆を確認しあい、墓参した事を履歴として残し次に墓参した親族に故人への思いや、次期墓参の事を残し伝え親族の絆を更に強める。この取り組みで過去の墓参では感じ得なかった墓への親しみが得られるようになる。
【図面の簡単な説明】
【０００８】
【図１】従来の墓所の形態の透視図を示す。
【図２】石碑の一部に空洞部を加工し開閉自由な扉１を設け鍵３を取り付け空洞内部にＱＲコード２を加工した部材を取り付けた透視図を示す。
【図３】遺族が墓参をしているところを示し、開閉自由な扉１、ＱＲコード２、遺族の持つクライアント４を示す人と墓所の側面図。
【符号の説明】
【０００９】１‥‥‥扉
２‥‥‥ＱＲコード
３‥‥‥鍵
４‥‥‥クライアント
【図１】
2009215861.tif 000003
【図２】
2009215861.tif 000004
【図３】
2009215861.tif 000005